(57)【特許請求の範囲】
【請求項１】
掲揚ポールにおける単管相互の連結部を直径方向に締付け固定するボルトと、このボルトの頭部及びナットを被うカバーを備え、
前記カバーは、前記ボルト頭部又はナットが没入する穴部を有する隆起状部と、
前記隆起状部の頂部位から前記連結部である被締付け管体の外周面方向に延びる傾斜面と、
前記被締付け管体の外周曲面と同じ若くは近似する曲線を有し、
しかも前記締付け固定状態において前記被締付け管体の外周面に沿って接することにより、前記ボルト頭部とナットによる被締付け管体の凹陥変形を防ぐこととなる周縁部を備えている、
ことを特徴とする掲揚ポールにおける単管連結部の締付け固定装置。
【発明の詳細な説明】
【０００１】
【発明の属する技術分野】
本発明は、幟旗や鯉幟等用の掲揚ポールにおける単管相互の連結部を固定する締付け固定装置に関するものである。
【０００２】
【従来の技術】
従来の幟旗や鯉幟等用の掲揚ポールは、しだいに径が異なるアルミニウム製の複数の単管が順次連結されてなり、連結部は、管体を直径方向に横貫するボルトとナットにより締付け固定されている。
【０００３】
【発明が解決しようとする課題】
武者幟（五月幟）、寺社幟、宣伝用幟等の幟旗や鯉幟は、掲揚状態においてこれらの幟類を取付けたロープが風により流されて大きく膨らみ、周囲の樹木や家屋に接触する危険や、幟旗などはゆがんでしまい見映えを損なうことから、取付けロープと掲揚ポールをリングで囲む手段によってこれを防止している。
しかしながら、上記従来技術のごとく単管連結方式の掲揚ポールは、連結部がボルトとナットで締付け固定されており、ボルト頭部とナットがポールの外周面から突出した状態であることから、幟類の掲揚降納操作時に、前記リングがこのボルト頭部やナットに引っ掛かり、その都度ポールや幟類の取付けロープを揺らしてリングの引っ掛りを外さなければならず煩雑な作業となり、また締付け固定態様において、管体とボルト頭部及びナットが接する箇所が締付け力の集中により凹陥変形して、掲揚ポールの解体時に単管相互の連結部が抜けなくなる事態となる。
【０００４】
本発明の目的は前記課題を考慮して、新たな掲揚ポールにおける単管連結部の締付け固定装置を提供しようとするものである。
【０００５】
【課題を解決するための手段】
上記目的を達成するための掲揚ポールにおける単管連結部の締付け固定装置は、掲揚ポールにおける単管相互の連結部を直径方向に締付け固定するボルトと、このボルトの頭部及びナットを被うカバーを備え、前記カバーは、前記ボルト頭部又はナットが没入する穴部を有する隆起状部と、前記隆起状部の頂部位から前記連結部である被締付け管体の外周面方向に延びる傾斜面と、前記被締付け管体の外周曲面と同じ若くは近似する曲線を有し、しかも前記締付け固定状態において前記被締付け管体の外周面に沿って接することにより、前記ボルト頭部とナットによる被締付け管体の凹陥変形を防ぐこととなる周縁部を備えているものである。
【０００６】
【発明の効果】
この発明に係る掲揚ポールにおける単管連結部の締付け固定装置は、連結部を締付け固定した状態において、この被締付け管体の外周面から突出することとなるボルト頭部及びナットを被うような穴部を有すると共に、この穴部が形成された隆起状部の頂部から被締付け管体の外周面方向に延びる傾斜面部を有するものであるから、幟旗や鯉幟などの掲揚及び降納操作時において、これら幟類の取付けロープと掲揚ポールを一緒に囲んだリングが上下方向に移動する過程において、前記カバーの傾斜面部を滑るように伝いながらボルト頭部及びナットが被われた隆起状部を乗り越えることとなり、従来のごとくこのリングがボルト頭部やナットに引っ掛ることがなく掲揚降納操作が容易となり、またこのカバーの周縁部が締付け時において被締付け管体の外周面に沿って接することとなるから締付けが強固となるばかりか、従来の締付け固定態様において、管体とボルト頭部及びナットが接する箇所が締付け力の集中により凹陥変形して、掲揚ポールの解体時に単管相互の連結部が抜けなくなる事態をさけることができる。
【０００７】
【発明の実施の形態】
図は本発明に係る掲揚ポールにおける単管連結部の締付け固定装置の一実施形態を示すもので、以下各図に基づき説明する。
【０００８】
掲揚ポールは、旗や鯉幟等の掲揚にも使用されるが、図１は掲揚ポール１に武者幟（五月幟）や寺社幟、宣伝用幟等の幟旗２が掲揚されている態様であって、この掲揚ポール１は、しだいに径の異なるアルミニウム製の複数の単管１ａ〜１ｅが順次連結されているもので、先端位の単管１ａに配設された滑車１ｆには掲揚ロープ３が掛けられ、この掲揚ロープ３端には、掲揚ポール１が挿通された輪環部を有する支持杆４が水平状態に吊設されており、そして基端位の単管１ｅが立設用の支持台５に固定されている。
【０００９】
幟旗２は、その上辺部の乳２ａ（竿や紐を通す輪状布片、以下チ部と称す）に吊り杆６が挿通され、縦辺部のチ部２ａには吊り杆６の一端に止着された取付けロープ７と降納ロープ８のうちの取付けロープ７が挿通されており、吊り杆６は、前記掲揚ロープ３端に吊設された支持杆４に平行状態で掛止されている。そして前記縦辺部のチ部２ａのうちの最上位と最下位のチ部２ａ及び、その間の適宜のチ部２ａの上方位置において、掲揚ポール１と取付けロープ７が開閉口を有するリング９で囲われており、前記掲揚ロープ３が下方に引張られた状態で幟旗２が掲揚され、この掲揚ロープ３と取付けロープ７及び降納ロープ８の末端が支持台５に縛り付けられているものである。
【００１０】
更に前記掲揚ポール１における単管１ａ〜１ｅ相互が連結された各連結部は、例えば下位の単管１ｄの上端に上位の単管１ｃの下端が挿入された二重筒状を呈する部位にボルト１０が横貫され、その螺子部にナット１１を螺合して締付けることにより固定されているもので、下位の単管１ｄの上端付近及び上位の単管１ｃの下端付近における直径線上となる部位に穿設された互いの挿通孔１ｇを、前記二重筒状を呈する状態において合致させ、そこに前記ボルト１０が挿入されており、この締付け固定状態において、ボルト１０のボルト頭部１０ａ及びナット１１と下位の単管１ｄ（以下被締付け管体）の外周面１ｈとの各間には、ボルト側カバーＡとナット側カバーＢが挟装されている。
【００１１】
前記カバーＡ，Ｂのそれぞれは、合成樹脂製で側面視略台形状に形成されており、ボルト頭部１０ａおよびナット１１が没入する穴部２０を有する隆起状部２１と、この隆起状部２１の頂部位２２から被締付け管体の外周面１ｈ方向に延びる下向き末広がり状の傾斜面部２３と、被締付け管体の外周面１ｈにその一部若しくは全部が接することとなる、前記傾斜面部２３に続く周縁部２４を備え、しかもこの周縁部２４は、被締付け管体の外周曲面と同じ若くは近似する曲線２５を呈する部位を有するものであり、前記隆起状部２１の穴部２０は、頂部位２２が開口され、その底部２０ａにはボルト１０の挿通孔２０ｂが開設されており、ナット側カバーＢにおいては、穴部２０の内周面がナット１１の外周面に接する角穴状２０ｃに形成されている。
【００１２】
そして、掲揚ポール１の各連結部における締付け固定操作は、ボルト側カバーＡの穴部２０方向からその底部２０ａの挿通孔２０ｂに通したボルト１０を連結部における両単管の合致された挿通孔１ｇに挿入し、反対側の突出部位にナット側カバーＢの挿通孔２０ｂを底部２０ａの外側から嵌め込んで、穴部２０（角穴状２０ｃ）にあらかじめ嵌込んだナット１１を当てた状態で、ボルト頭部１０ａのプラス溝に差込んだドライバーを回動して締付けることにより、それぞれのカバーＡ，Ｂは、穴部２０の底部２０ａがボルト頭部１０ａ及びナット１１と被締付け管体の外周面１ｈとの間に介在した状態で固定されるもので、この締付けによりカバーＡ，Ｂの周縁部２４が被締付け管体の外周面１ｈに接すると共に、この締付け程度により穴部２０の底部２０ａの外面部も同様に接することとなる。ただ、前記周縁部２４の全周が外周面１ｈに接しない場合も想定される。
【００１３】
なお、前記カバーＡ，Ｂは、ボルト頭部１ａ及びナット１１と被締付け管体の外周面１ｈとの間に挟装される、いわゆるスペーサー方式であるが、図６に示すごとく、前記カバーＡ，Ｂにおける穴部２０の底部２０ａが開口されており、この開口側から穴部２０をボルト頭部１０ａ及びナット１１に嵌合するごとくな、ボルト頭部１０ａ及びナット１１への嵌め込み部を有する、いわゆるキャップ方式Ｃ，Ｄも想定され、また本態様のごとく正面視形状が長円形に限らず、円形や方形（図７）を含む多角形であっても差し支えない。
【００１４】
この実施形態の掲揚ポールにおける単管連結部の締付け固定装置は、連結部を締付け固定した状態において、この被締付け管体の外周面から突出することとなるボルト頭部及びナットを被うような穴部を有すると共に、この穴部が形成された隆起状部の頂部から被締付け管体の外周面方向に延びる傾斜面部を有するものであるから、幟旗や鯉幟などの掲揚及び降納操作時において、これら幟類の取付けロープと掲揚ポールを一緒に囲んだリングが上下方向に移動する過程において、前記カバーの傾斜面部を滑るように伝いながらボルト頭部及びナットが被われた隆起状部を乗り越えることとなり、従来のごとくこのリングがボルト頭部やナットに引っ掛ることがなく掲揚降納操作が容易となる。
【００１５】
またこのカバーの周縁部が締付け時において被締付け管体の外周面に沿って接することとなり、この周縁部で被締付け管体を押圧することとなるから締付けが強固となるばかりか、従来の締付け固定態様において、管体とボルト頭部及びナットが接する箇所が締付け力の集中により凹陥変形して、掲揚ポールの解体時に単管相互の連結部が抜けなくなる事態をさけることができる。
【図面の簡単な説明】
【図１】  掲揚ポールに幟旗が掲揚された状態を示す全体図。
【図２】  単管連結部の拡大図。
【図３】  図２のｘ−ｘ断面図。
【図４】  カバーの正面側からの斜視図。
【図５】  カバーの横断平面図。
【図６】  他例カバーの装着状態を示す横断平面図。
【図７】  他例カバーの正面側からの斜視図。
【符号の説明】
Ａ          ボルト側カバー
Ｂ          ナット側カバー
１          掲揚ポール
１ａ〜１ｅ  単管
１ｈ        外周面
２          幟旗
２ａ        チ部
３          掲揚ロープ
７          取付けロープ
８          降納ロープ
９          リング
１０        ボルト
１０ａ      ボルト頭部
１１        ナット
２０        穴部
２０ａ      底部
２０ｂ      挿通孔
２０ｃ      角穴状
２１        隆起状部
２２        頂部位
２３        傾斜面部
２４        周縁部
２５        曲線
【図１】
0003675773.tif 000002
【図２】
0003675773.tif 000003
【図３】
0003675773.tif 000004
【図４】
0003675773.tif 000005
【図５】
0003675773.tif 000006
【図６】
0003675773.tif 000007
【図７】
0003675773.tif 000008